(57)【要約】【課題】プレーヤに見苦しい印象を与えることがないようにする。【解決手段】透明部材によって形成したフロントウインド２２の下方であって、運転席側には、かご２がフロントカバー７の上面に固定されている。広告用の標識３０は、不透明なシールによって形成され、フロントウインド２２の下方側であって、フロントシート１０側の表面に接着・剥離自在に貼着されている。この標識３０は、かご２の前面部の表面積よりもやや大きな外形寸法となるように横長に形成されている。したがって、乗用ゴルフカート１の前方側から見てこの標識３０によってかご２が覆われる。このため、かご２内に収納された収納物が乗用ゴルフカート１の前方側から視認できない。【選択図】　　　　図１
2004049694.tif 000002
【特許請求の範囲】
【請求項１】
運転席の前面側を覆う透明なフロントウインドと、このフロントウインドの下方であって運転席側に設けられた物入れとを備えた乗用ゴルフカートにおいて、前記フロントウインドの前記物入れに対応した部位に横長に形成した不透明な広告用の標識を設けたことを特徴とする乗用ゴルフカート。
【請求項２】
請求項１記載の乗用ゴルフカートにおいて、前記標識を前記フロントウインドに接着・剥離自在なシールで形成したことを特徴とする乗用ゴルフカート。
【発明の詳細な説明】
【０００１】
【発明の属する技術分野】
本発明は、ゴルフ場内においてキャディバック等を搭載してプレーヤを運ぶ乗用ゴルフカートに関する。
【０００２】
【従来の技術】
この種の乗用ゴルフカートにおいては、一般の乗用車等とは異なり、運転席の前方にボール等のゴルフ用品や水筒、小物入れ等を収納するための物入れとしてのかごが設置されている。また、乗用ゴルフカートは、雨除けまたは風除け等のために、運転席の前面側が外形寸法の大きいフロントウインドによって覆われており、このフロントウインドは運転の際に前方の視界を遮らないためと、他のプレーヤが打ったボールの行方を視認できるように透明な材料によって形成されている。前述したかごは、このフロントウインドの下方であって運転席側に設置され横長に形成されている。
【０００３】
【発明が解決しようとする課題】
上述した乗用ゴルフカートにおいては、かごに水筒やゴルフ用品以外のタオルやボール拭き等を無造作に収納する場合があり、この場合には、フロントウインドを透かしてこれらのタオルやボール拭き等が他のプレーヤ等から見えるために見苦しい印象を与えるという問題があった。この問題を解消するために、フロントウインドの下部側をカバーによって覆ったり、フロントウインドの下部側に不透明な着色を施したりして、かごを目隠しすることも考えられるが、見映えが良くないという問題があった。
【０００４】
本発明は上記した従来の問題に鑑みなされたものであり、その目的とするところは、プレーヤに見苦しい印象を与えない乗用ゴルフカートを提供することにある。
【０００５】
【課題を解決するための手段】
この目的を達成するために、本発明は、運転席の前面側を覆う透明なフロントウインドと、このフロントウインドの下部であって運転席側に設けられた物入れとを備えた乗用ゴルフカートにおいて、前記フロントウインドの前記物入れに対応した部位に横長に形成した不透明な広告用の標識を設けたものである。
したがって、広告用の標識によって物入れが目隠しされるので、物入れに収納された収納物がプレーヤに見られるようなことがない。また、乗用ゴルフカートの一番目立つ部位であるフロントウインドに広告用の標識を設けたので宣伝効果が高い。
【０００６】
また、請求項２に係る発明は、請求項１に係る発明において、前記標識を前記フロントウインドに接着・剥離自在なシールで形成したものである。
したがって、フロントウインドに対して標識の取付け・取外しが容易である。
【０００７】
【発明の実施の形態】
以下、本発明の実施の形態を図に基づいて説明する。図１は本発明に係る乗用ゴルフカートの前方側から視た全体の外観斜視図、図２は同じく側方から視た全体の外観斜視図である。
これらの図において、全体を符号１で示すものは、本発明に係る乗用ゴルフカートであって、運転席の前方に水筒やゴルフ用品等を収納する物入れとしてのかご２が備えられている。また、後部側にキャディバックを搭載するためのキャリア部材３Ａ，３Ｂが備えられている。
【０００８】
５は４本のタイヤ、６は足載せ台であって、前部と後部とはそれぞれフロントカバー７とリアーカバー８とによって覆われている。この足載せ台６のフロントカバー７とリアーカバー８との間には、フロントシート１０が台座１１を介して固定されており、リアーカバー８上にはリアーシート１２が固定されている。フロントシート１０の前方にはハンドル１３が設けられており、乗用ゴルフカート１を運転する者は、このフロントシート１０に着席してハンドル１３を操作する。
【０００９】
これらフロントシート１０とリアーシート１２には、支持パイプ１５，１６を介してそれぞれ台座１１とリアーカバー８とに固定された背もたれ１７，１８が設けられている。図１に示すように、フロントカバー７には、一対の支柱２０，２０が後方に向かって斜め上方に延在するように立設されている。
【００１０】
これら支柱２０，２０には、透明なプラスチックによって矩形状に形成されたフロントウインド２２が、前記フロントシート１０の前方側を覆うようにして固定されている。このフロントウインド２２の下方であって、前記フロントシート１０側には、かご２がフロントカバー７の上面に固定され、このかご２はフロントウインド２２の幅方向の略全体に延在している。
【００１１】
一対の支柱２０，２０の上端と、リアーカバー８に立設された支柱２３の上端とには、枠状に形成したフレーム（図示せず）が水平状態で固定されており、このフレームを介してサンルーフ２４が固定されている。リアーカバー８には左右一対の支柱２６，２６が立設されており、これら支柱２６，２６の上端とリアーカバー８とには、左右一対の支持部材２７，２７が後方に向かって斜め上方に延在するように固定されている。
【００１２】
これら一対の支持部材２７，２７の上下端に、キャリア部材３Ａ，３Ｂが互いに平行に、かつ支持部材２７，２７と直交するように固定されている。２８は、プレーヤのパターを収納するためのパターケースであって、有底円筒状に形成されており、キャリア部材３Ａとリアーカバー８とに固定されている。２９は傘を収納するための傘ケースであって、有底円筒状に形成されており、支柱２６とリアーカバー８とに固定されている。
【００１３】
３０は本発明の特徴である広告用の標識であって、全体が不透明なシールによって形成されており、広告の内容が表示された表面に粘着剤層が設けられている。この広告用の標識３０は、粘着剤層を介してフロントウインドの前記かご２に対応した部位、すなわちフロントウインド２２の下部であって、フロントシート１０側の表面に接着・剥離自在に貼着されている。この標識３０は、前記かご２の前面部の表面積よりもやや大きな外形寸法となるように横長に形成されており、乗用ゴルフカート１の前方側から見てかご２がこの標識３０によって覆われることにより、かご２内に収納された収納物が乗用ゴルフカート１の前方側から視認できないように構成されている。
【００１４】
このように、かご２を広告用の標識３０によって目隠しすることができることにより、フロントウインド２２を透かしてかご２内に収納された収納物が他のプレーヤに見られるようなことがないので、仮に、かご２内にタオルやボール拭き等が無造作に収納されていたとしても、他のプレーヤに見苦しい印象を与えることがない。また、広告用の標識３０がある程度美観を有していることから見映えも向上させることができ、かつ広告用の標識３０を乗用ゴルフカートの一番目立つ部位であるフロントウインドに設けたことにより、広告主の宣伝を兼ね備えることもできる。また、広告用の標識３０をフロントウインド２２の下部に設けているから、この標識３０によって運転者の前方の視界を遮るようなことがないので、運転に支障をきたすようなことがなく、かつ他のプレーヤの打球の行方を視認するのにも支障をきたすようなことがない。
【００１５】
さらに、標識３０をシールによって形成し、このシールをフロントウインドに粘着剤層を介して剥離自在に貼着したことにより、標識３０の取付け・取外しが容易になるので、標識３０の広告の内容を変更したい場合や広告主が変更になった場合には、容易に変更することが可能になる。また、標識３０をフロントウインド２２の運転席側の表面に貼着すれば、雨水等が直接標識３０に接触するようなことがないから、自然環境によって標識３０が劣化するのを防止できるので耐久性が向上する。
【００１６】
なお、本実施の形態では、広告用の標識３０をシールによって形成し、フロントウインド２２に貼着するようにしたが、フロントウインド２２に広告の内容を直接印刷または描画するようにしてもよく、要は標識３０が不透明であればよい。また、標識３０を設ける位置もフロントウインド２２の運転席側の表面でもよいし、反対側の表面でもよい。また、広告用の標識３０は乗用ゴルフカートを使用するゴルフ場名等を表示したものでもよい。
【００１７】
【発明の効果】
以上説明したように、請求項１に係る発明によれば、物入れを広告用の標識によって目隠しすることができることにより、フロントウインドを透かして物入れ内に収納された収納物が他のプレーヤに見られるようなことがないので、他のプレーヤに見苦しい印象を与えることがない。また、広告用の標識がある程度美観を有していることから見映えも向上させることができ、かつ広告用の標識を乗用ゴルフカートの一番目立つ部位であるフロントウインドに設けたことにより、広告主の宣伝を兼ね備えることもできる。また、広告用の標識をフロントウインドの下部に設けているから、この標識によって運転者の前方の視界を遮るようなことがないので、運転に支障をきたすようなことがなく、かつ他のプレーヤの打球の行方を視認するのにも支障をきたすようなことがない。
【００１８】
また、請求項２に係る発明によれば、標識の広告の内容を変更したい場合や広告主が変更になった場合には、容易に変更することが可能になる。
【図面の簡単な説明】
【図１】本発明に係る乗用ゴルフカートの前方から視た全体の外観斜視図である。
【図２】本発明に係る乗用ゴルフカートの側方から視た全体の外観斜視図面図である。
【符号の説明】
１…乗用ゴルフカート、２…かご、３Ａ，３Ｂ…キャリア部材、１０…フロントシート、１３…ハンドル、２２…フロントウインド、３０…広告用の標識。
【図１】
2004049694.tif 000003
【図２】
2004049694.tif 000004